(57)【要約】【課題】本発明の目的は、ブレーキライニングの点検、清掃、交換を容易に行うことができるエレベータのブレーキ装置を提供することにある。【解決手段】ブレーキシューユニット３およびブレーキライニング４をブレーキアーム２に円柱形のブレーキシューユニット支点部３ａを介して回転可能な構造に取り付けることにより、ブレーキライニングの点検、清掃、交換の際には、ブレーキばね固定ナット１０とブレーキばね９を緩めた状態にてブレーキシューユニット３とブレーキライニング４とを作業正面に回転可能とする。【選択図】図１
2013095598.tif 000002
【特許請求の範囲】
【請求項１】
エレベータの巻上機に連結されるブレーキドラムと、このブレーキドラムの外周面に当接して前記ブレーキドラムに制動力を付与するブレーキライニングと、このブレーキライニングが固定されるブレーキシューユニットと、このブレーキシューユニットが固定され前記ブレーキライニングがブレーキドラムへの当接位置もしくは非当接位置のいずれかに位置するよう前記ブレーキシューユニットの位置を移動させる一対のブレーキアームと、前記ブレーキアームの一端をそれぞれ回動可能に支持する支点ロッドと、ブレーキアームをブレーキドラムに圧着させるブレーキばねとブレーキばねロッドを備えたエレベータのブレーキ装置において、
前記ブレーキシューユニットを前記ブレーキアームに対しで円柱形のブレーキシューユニット支点部を介して回転可能となるように取り付けたことを特徴とするエレベータのブレーキ装置。
【発明の詳細な説明】
【技術分野】
【０００１】
本発明は、ドラムブレーキのブレーキライニングの点検、清掃、交換作業に好適なエレベーターのブレーキ装置に関する。
【背景技術】
【０００２】
従来、ドラムブレーキのブレーキライニングの点検、清掃、交換作業に好適なエレベーターのブレーキ装置としては，ブレーキライニングがブレーキドラムに干渉しないようにブレーキアームを保持可能なガイドロッドを備えた構成とし、ブレーキライニング交換時にブレーキアームをブレーキドラムの軸方向に沿って移動可能とする構造が提案されている（特許文献１）。
【０００３】
また、ブレーキディスクを挟み込んで制動するディスクブレーキでは、ブレーキライニング取付板が回動軸ピンを中心として、ブレーキディスクの円周方向に回動可能に連結された構造が提案されている（特許文献２）。
【先行技術文献】
【特許文献】
【０００４】
【特許文献１】特開２００９−２９２５９９号公報
【特許文献２】特開２００９−２８０３２５号公報
【発明の概要】
【発明が解決しようとする課題】
【０００５】
しかしながら、前述した特許文献１に記載されたエレベーターのブレーキ装置では、ブレーキライニングの点検、清掃、交換の際にブレーキアームをブレーキドラムに圧着するために設けられているブレーキばねを取り外した上でブレーキレバーを移動する必要があるため、作業が煩雑となり、作業に要する時間がかかってしまうという問題があった。
【０００６】
また、ブレーキライニングの点検、清掃、交換の際に、ブレーキライニングがブレーキドラムに圧着する面を正面から見ることができる角度から作業することが困難であるという問題があった。
【０００７】
また、前述した特許文献２に記載されたエレベーターのブレーキ装置では、ブレーキディスクの円周方向に回動可能であるため、ブレーキドラムを使用したブレーキには適用できない。また、緊急制動時には回転軸に過大な荷重がかかるため回動軸ピンを強固なものにする必要があるという問題があった。
【０００８】
本発明は、前述した従来技術における実状からなされたもので、ブレーキライニングの点検、清掃、交換を容易かつ短時間に行うことができるエレベータのブレーキ装置を提供することにある。
【課題を解決するための手段】
【０００９】
上記目的を達成するために、本発明では、エレベータの巻上機に連結されるブレーキドラムと、このブレーキドラムの外周面に当接して前記ブレーキドラムに制動力を付与するブレーキライニングと、このブレーキライニングが固定されるブレーキシューユニットと、このブレーキシューユニットが固定され前記ブレーキライニングがブレーキドラムへの当接位置もしくは非当接位置のいずれかに位置するよう前記ブレーキシューユニットの位置を移動させる一対のブレーキアームと、前記ブレーキアームの一端をそれぞれ回動可能に支持する支点ロッドと、ブレーキアームをブレーキドラムに圧着させるブレーキばねとブレーキばねロッドを備えたエレベータのブレーキ装置において、
前記ブレーキシューユニットを前記ブレーキアームに対しで円柱形のブレーキシューユニット支点部を介して回転可能となるように取り付けたことを特徴とする。
【発明の効果】
【００１０】
本発明は、上記の構成にしたことにより、ブレーキライニングの点検、清掃、交換においては、ブレーキばねの取り外しや重量部品であるブレーキアームの移動を行うことなく、ブレーキライニングの圧着面をブレーキの正面から点検、清掃したり、ブレーキライニングの交換を行うことが可能となるため、点検、清掃、交換に要する作業時間や作業量を低減でき、保守コストを低減可能である。また、ブレーキライニングへのアクセスを容易にすることにより作業上の安全の確保を図ることが可能となる。
【図面の簡単な説明】
【００１１】
【図１】本発明に係るエレベータのブレーキ装置の実施形態を示す正面図である。
【図２】図１のＡ−Ａ断面図である。
【図３】ブレーキシューユニットを回転させた状態の図１のＡ−Ａ断面図である。
【図４】従来の技術に係るエレベータのブレーキ装置の例示す正面図である。
【発明を実施するための形態】
【００１２】
以下、本発明に係るエレベータのブレーキ装置の一実施形態を図に基づいて説明する。
【００１３】
図１は、本発明に係るエレベータのブレーキ装置の第１実施形態を示す正面図、図２は、図１のＡ−Ａ断面図、図３は、ブレーキシューユニット３を回転させた状態の図１のＡ−Ａ断面に相当する断面図、図４は従来のエレベータのブレーキ装置の例を示す正面図である。
【００１４】
これらの図１から図３に示すように、本発明に係る実施形態は、ブレーキベース６は、巻上機（図示せず）の回転と同期して回転する略円筒状の被制動部を有するブレーキドラム１と、ブレーキドラム１の外周面に当接してブレーキドラム１に制動力を付与するブレーキライニング４と、このブレーキライニング４のドラム側とは反対側に設置されるブレーキシューユニット３と、このブレーキシューユニット３が円柱状のブレーキシューユニット支点部３ａを介し、回転可能に固定されたブレーキアーム２とを備えている。また、ブレーキライニング４はブレーキシューユニット３に埋め込まれるブレーキライニング固定ねじ７によって固定してある。またブレーキベース６は、図示しないブレーキレバーが挿入されるブレーキコア８、及びブレーキアーム２とブレーキシューユニット３とブレーキライニング４とを支点ロッド５を支点としてブレーキドラム１に圧着するブレーキばね９、ブレーキばねロッド１０、ブレーキばね固定ナット１を備えている。
【００１５】
図２は通常稼動時におけるブレーキアーム２とブレーキシューユニット３とブレーキライニング４とブレーキシューユニット支点部３ａとの位置関係を示す図である。ブレーキシューユニット３とブレーキライニング４はブレーキライニング固定ねじ７によって固定されて一体化されている。ブレーキシューユニット３に設けた穴部には円柱状のブレーキシューユニット支点部３ａが貫通しており、かつブレーキシューユニット３がブレーキシューユニット支点部３ａを軸にして回転可能としている。ブレーキアーム２にはブレーキシューユニット３およびブレーキシューユニット支点部３ａが取り付けられられており、ブレーキシューユニット支点部３ａの両端がブレーキアーム２に固定されている。この構造と図２に示すブレーキシューユニット３の形状により、ブレーキシューユニット３およびブレーキライニング４はブレーキアーム２に取り付けられた状態でブレーキシューユニット支点部３ａを軸として回転可能である。図３にブレーキシューユニット３を９０°回転させた際のブレーキアーム２とブレーキシューユニット３およびブレーキライニング４との位置関係を示す。
【００１６】
次に、本発明に係るエレベータのブレーキ装置における点検、清掃、交換の際の作業について説明する。まず、ブレーキばね固定ナット１０を緩め、ブレーキばね９を緩めることで、ブレーキアーム２をブレーキドラム１より離れる方向に、支点ロッド５を支点とし回転させ、ブレーキアーム２を開く。これにより、ブレーキシューユニット３およびブレーキライニング４がブレーキドラム１に干渉せずに回転するために必要なスペースを確保する。次に、この状態で、ブレーキシューユニット３およびブレーキライニング４を図３に示すように手前方向に回転させる。このような構造と手順としたことにより、本実施例ではブレーキばねロッド１０、ブレーキばね９を取り外さなくともブレーキアーム２に取り付けられているブレーキシューユニット３とブレーキライニング４を、ブレーキベース６の正面に向けて回転するさせることができるので、保守員はブレーキライニング４のブレーキドラム１と摺動する面を容易に目視点検したり、ブレーキライニング４の清掃を行ったり、ブレーキライニング４が磨耗している場合は、ブレーキライニング固定ねじ７を取り外しブレーキライニング４をブレーキベース６の正面から交換することが可能となる。これらの手順により、本発明に係るエレベータのブレーキ装置においては、従来のエレベータのブレーキ装置において必要であったブレーキばね９の取り外しや重量部品であるブレーキアーム２の開放や移動を行うことなく容易に清掃、交換することが可能であり、ひいては保守所要時間の低減と保守コストの低減、ブレーキライニング４へのアクセスを容易にすることによる作業上の安全の確保を図ることが可能となる。
【００１７】
以上のように上記実施形態によれば、ブレーキライニングの点検、清掃、交換に際しては、従来のブレーキドラムの構造においてはブレーキばねをブレーキばねロッドより取り外し、ブレーキアームおよびブレーキライニングを開いた上でブレーキライニングを点検、清掃、交換する手順が必要であったのに対して、本発明によるブレーキアーム及びブレーキシューユニットとブレーキライニングの構成においては、ブレーキばねをブレーキばねロッドに固定するナットを緩め、ブレーキシューユニットとブレーキライニングが回転するために必要な角度だけブレーキアームを開き、ブレーキシューユニットとブレーキライニングの圧着面をブレーキドラムに正対した保守員から見える位置まで回転させることができるため、ブレーキライニングを点検、清掃、交換に好適な位置とすることが可能となる。また、特許文献１に示す構造においては、重量部品であるブレーキアームをブレーキドラムの軸方向に沿って移動させる作業が必要となるが、本発明によるブレーキアーム及びブレーキシューユニットとブレーキライニングの構成においては、ブレーキアームをブレーキドラムの軸方向に沿って移動させる必要が無く、重量部品の移動が不要となる。
【符号の説明】
【００１８】
１    ブレーキドラム
２    ブレーキアーム
３    ブレーキシューユニット
３a   ブレーキシューユニット支点
４    ブレーキライニング
５    支点ロッド
６    ブレーキベース
７    ブレーキライニング固定ねじ
８    ブレーキコア
９    ブレーキばね
１０  ブレーキばねロッド
１１  ブレーキばね固定ナット
【図１】
2013095598.tif 000003
【図２】
2013095598.tif 000004
【図３】
2013095598.tif 000005
【図４】
2013095598.tif 000006